(57)【要約】      （修正有）【課題】物干し竿を昇降させることができる、簡易な構造で軽量な物干し装置を提供する。【解決手段】物干し装置１０は、梁部材１ａ，１ｂ、上腕部材４ａ，４ｂ、下腕部材５ａ，５ｂ、保持部材６ａ，６ｂ、紐状体７ａ，７ｂおよび紐状体調節部２を備える。梁部材１ａの端部には上腕部材４ａおよび下腕部材５ａを介して保持部材６ａが設けられている。保持部材６ａと紐状体調節部２との間に紐状体７ａが設けられている。紐状体７ａは梁部材１ａの端部１１を通る。上腕部材４ａおよび下腕部材５ａは梁部材１ａの長手方向に平行な面内で回転自在である。梁部材１ｂ、上腕部材４ｂ、下腕部材５ｂ、保持部材６ｂおよび紐状体７ｂは同様に構成されている。紐状体調節部２は、梁部材１ａと梁部材１ｂとの間に設けられ、操作に応じて紐状体７ａ，７ｂの巻き取りを調節する。【選択図】図１
2015096090.tif 000002
【特許請求の範囲】
【請求項１】
天井部に取り付けられる細長状の梁部材と、
前記梁部材の両端部に設けられ、前記梁部材の端部に第１端部が取り付けられる細長状の上腕部材と、
前記上腕部材の第２端部に第１端部が取り付けられる細長状の下腕部材と、
前記下腕部材の第２端部に取付けられ、物干し竿の端部を保持する保持部材と、
前記保持部材に第１端部が取り付けられ、前記梁部材の端部を通り、前記梁部材に沿って延伸する紐状体と、
前記梁部材の中央部に設けられ、前記紐状体の第２端部が取り付けられ、操作に応じて前記紐状体の巻き取りを調節する紐状体調節部と、を備え、
前記上腕部材は、前記上腕部材の第１端部を支点として、前記梁部材の長手方向に平行な面内で回転自在であり、前記下腕部材は、前記下腕部材の第１端部を支点として、前記梁部材の長手方向に平行な面内で回転自在である、物干し装置。
【請求項２】
前記紐状体調節部は、
下向きの歯を有する上カバー部材と、
前記上カバー部材の下に配置され、開口部を有する下カバー部材と、
前記上カバー部材と前記下カバー部材との間に配置され、前記上カバー部材の歯にかみ合う上向きの歯を有し、上下方向を向く軸の周りに回転自在であり、前記紐状体の第２端部が取り付けられる回転部材と、
前記回転部材と前記下カバー部材との間に配置され、前記回転部材の歯を前記上カバー部材の歯に押し当てる第１ばね部材と、
前記回転部材から下方向に延設され、前記下カバー部材の開口部から突出するリング状の操作部と、を有する、請求項１に記載の物干し装置。
【請求項３】
前記上腕部材の第２端部および前記下腕部材の第１端部から形成される中空部に設けられ、前記上腕部材と前記下腕部材とが当接するように、前記上腕部材および前記下腕部材を付勢する第２ばね部材を備える、請求項１または２に記載の物干し装置。
【請求項４】
前記梁部材の上部に取付けられ、前記梁部材を前記天井部に取り付ける取付け部材を備え、
前記取付け部材は前記梁部材の長手方向に垂直な面内で回転自在である、請求項１ないし３のいずれかに記載の物干し装置。
【発明の詳細な説明】
【技術分野】
【０００１】
本発明は、天井等に吊り下げられる物干し装置に関する。
【背景技術】
【０００２】
従来の物干し装置として、例えば、特許文献１に記載のものがある。この物干し装置は、パンダグラフ式の伸縮アーム、受け金具、ドラムおよび昇降紐を備える。伸縮アームは、天井部に設置された支持金具から下方に垂設されている。受け金具は、伸縮アームの下部に取り付けられ、物干し竿を保持している。ドラムは、天井部に設置され、電動駆動装置と連動している。昇降紐はドラムから導出され、昇降紐の下端は受け金具に固定されている。この物干し装置では、電動駆動装置によりドラムを回転させることで、ドラムに昇降紐を巻いたり、ドラムから昇降紐を引出したりする。これにより、物干し竿を昇降移動させることができる。
【０００３】
また、従来の物干し装置として、例えば、特許文献２に記載のものがある。この物干し装置では、操作ハンドル、回転伝達機構、巻取部および紐状体を備える。回転伝達機構は、ギアボックス、垂直桿、ギア機構および水平稈を有する。巻取部は水平稈の端部に設けられている。紐状体は巻取部から垂下し、紐状体の下端には物干し竿が保持されている。この物干し装置では、操作ハンドルを回転させると、回転力が回転伝達機構を介して巻取部に伝達される。巻取部が回転することにより、紐状体は、巻取部に巻き取られたり、巻き戻されたりする。これにより、物干し竿を昇降移動させることができる。
【先行技術文献】
【特許文献】
【０００４】
【特許文献１】特開平８−１１２４９５号公報
【特許文献２】特開２００３−９３７９７号公報
【発明の概要】
【発明が解決しようとする課題】
【０００５】
特許文献１に記載の物干し装置では、パンタグラフ式の伸縮アームを用いており、また、電動駆動装置によりドラムを回転させている。このため、もの物干し装置に必要な部品数が多くなる。また、物干し装置が重くなるため、物干し装置の設置が大掛かりになるおそれがある。
【０００６】
また、特許文献２に記載の物干し装置では、電動駆動装置を用いていないものの、回転伝達機構により操作ハンドルの回転力を巻取部に伝達している。このため、特許文献１に記載の物干し装置と同様に、もの物干し装置に必要な部品数が多くなる。
【０００７】
本発明の目的は、物干し竿を昇降させることができる、簡易な構造で軽量な物干し装置を提供することにある。
【課題を解決するための手段】
【０００８】
本発明の物干し装置は、細長状の梁部材、細長状の上腕部材、細長状の下腕部材、保持部材、紐状体および紐状体調節部を備える。梁部材は天井部に取り付けられる。上腕部材は梁部材の両端部に設けられる。梁部材の端部に上腕部材の第１端部が取り付けられる。上腕部材の第２端部に下腕部材の第１端部が取り付けられる。保持部材は、下腕部材の第２端部に取付けられ、物干し竿の端部を保持する。保持部材に紐状体の第１端部が取り付けられる。紐状体は、梁部材の端部を通り、梁部材に沿って延伸する。紐状体調節部は梁部材の中央部に設けられる。紐状体調節部には紐状体の第２端部が取り付けられる。紐状体調節部は操作に応じて紐状体の巻き取りを調節する。上腕部材は、上腕部材の第１端部を支点として、梁部材の長手方向に平行な面内で回転自在である。下腕部材は、下腕部材の第１端部を支点として、梁部材の長手方向に平行な面内で回転自在である。
【０００９】
この構成では、操作により紐状体の巻き取りを調節することで、物干し竿を所望の位置まで昇降させることができる。このため、作業しやすい位置まで物干し竿を降ろして洗濯物を干した後、洗濯物が乾きやすい位置まで物干し竿を上げることができる。また、物干し装置を使用しないとき、物干し竿を最も高い位置まで上げることにより、物干し装置をコンパクトな形状にして収納することができる。また、保持部材が上腕部材および下腕部材により梁部材から吊り下げられているため、風が吹いた際に物干し竿が揺れることを防止することができる。
【００１０】
さらに、パンダグラフ機構により保持部材を梁部材から吊り下げる場合に比べて、簡易な構造で軽量な物干し装置を実現することができる。また、上腕部材および下腕部材が梁部材の長手方向に平行な面内で回転自在であるため、物干し竿を昇降させても物干し装置の姿勢は変化しない。
【００１１】
本発明の物干し装置では、紐状体調節部は、上カバー部材、下カバー部材、回転部材、第１ばね部材およびリング状の操作部を備える。上カバー部材は下向きの歯を有する。下カバー部材は、上カバー部材の下に配置され、開口部を有する。回転部材は、上カバー部材と下カバー部材との間に配置され、上カバー部材の歯にかみ合う上向きの歯を有し、上下方向を向く軸の周りに回転自在である。回転部材には紐状体の第２端部が取り付けられる。第１ばね部材は、回転部材と下カバー部材との間に配置され、回転部材の歯を上カバー部材の歯に押し当てる。操作部は、回転部材から下方向に延設され、下カバー部材の開口部から突出する。
【００１２】
この構成では、オーニング用と同様の形状を有するクランクハンドルで操作部を引くことにより、回転部材のロックが解除される。クランクハンドルで操作部を引きながら回転させると、紐状体は、回転部材に巻き取られたり、回転部材から巻き戻されたりする。これにより、紐状体調節部は操作に応じて紐状体の巻き取りを調節することができる。
【００１３】
また、紐状体調節部は、手動で動作するため、回転部材を回転させるためのモータ等を必要としない。また、操作部が回転部材と一体的に形成されているため、操作部に対する回転力を回転部材に伝達する伝達機構を必要としない。このため、簡易な構造で紐状体調節部を実現することができる。
【００１４】
本発明の物干し装置は第２ばね部材を備える。第２ばね部材は、上腕部材の第２端部および下腕部材の第１端部から形成される中空部に設けられ、上腕部材と下腕部材とが当接するように上腕部材および下腕部材を付勢する。
【００１５】
この構成では、物干し竿を最も高い位置まで上げた際、上腕部材および下腕部材が垂れ下がることを防止することができる。
【００１６】
本発明の物干し装置は取付け部材を備える。取付け部材は、梁部材の上部に取付けられ、梁部材を天井部に取り付ける。取付け部材は梁部材の長手方向に垂直な面内で回転自在である。
【００１７】
この構成では、水平でない天井等にも物干し装置を確実に取り付けることができる。
【発明の効果】
【００１８】
本発明によれば、物干し竿を昇降させることができる、簡易な構造で軽量な物干し装置を実現することができる。
【図面の簡単な説明】
【００１９】
【図１】本実施形態に係る使用時の物干し装置を示す正面図である。
【図２】本実施形態に係る使用時の物干し装置を示す外観斜視図である。
【図３】本実施形態に係る非使用時の物干し装置を示す外観斜視図である。
【図４】紐状体調節部２付近を示す分解斜視図である。
【図５】クランクハンドル８２を示す平面図である。
【図６】取付け部材３ａ付近を示す分解斜視図である。
【図７】梁部材１ａ、上腕部材４ａ、下腕部材５ａおよび保持部材６ａを示す分解斜視図である。
【発明を実施するための形態】
【００２０】
本発明の実施形態に係る物干し装置１０について説明する。図１は、使用時の物干し装置１０を示す正面図である。図２は、使用時の物干し装置１０を示す外観斜視図である。物干し装置１０は、細長状の梁部材１ａ，１ｂ、紐状体調節部２、取付け部材３ａ，３ｂ、細長状の上腕部材４ａ，４ｂ、細長状の下腕部材５ａ，５ｂ、細長平板状の保持部材６ａ，６ｂおよび紐状体７ａ，７ｂおよびを備える。
【００２１】
梁部材１ａ，１ｂは一直線となるように配置されている。梁部材１ａと梁部材１ｂとの間には紐状体調節部２が取り付けられている。紐状体調節部２は、下方向に突出するリング状の操作部２７を有する。紐状体調節部２は、操作に応じて、紐状体７ａ，７ｂの巻き取りおよび巻き戻しを行う。梁部材１ａの長手方向の略中心部には取付け部材３ａが取り付けられている。梁部材１ｂの長手方向の略中心部には取付け部材３ｂが取り付けられている。梁部材１ａ，１ｂは、その長手方向が水平となるように、取付け部材３ａ，３ｂにより天井等（天井部）に設置される。
【００２２】
梁部材１ａの端部１１（梁部材１ｂ側と反対側の端部）には、上腕部材４ａの端部４１が取り付けられている。上腕部材４ａは、上腕部材４ａの端部４１を支点として、梁部材１ａの長手方向に平行な面内で回転自在である。上腕部材４ａの端部４２（端部４１と反対側の端部）には、下腕部材５ａの端部５１が取り付けられている。下腕部材５ａは、下腕部材５ａの端部５１を支点として、梁部材１ａの長手方向に平行な面内で、かつ、角度θが０°〜１８０°である範囲内で回転自在である。ここで、角度θは、正面視して、上腕部材４ａに対して時計と反対回りに下腕部材５ａがなす角度である。
【００２３】
下腕部材５ａの端部５２（端部５１と反対側の端部）には、保持部材６ａの短手方向の端部が取り付けられている。保持部材６ａは、その主面が梁部材１ａの長手方向に垂直になるように配置されている。保持部材６ａは、保持部材６ａの短手方向の端部を支点として、梁部材１ａの長手方向に平行な面内で回転自在である。保持部材６ａには、物干し竿８１の端部を保持するための開口部６１が複数形成されている。保持部材６ａの開口部６１は保持部材６ａの長手方向に対して対称に配置されている。
【００２４】
保持部材６ａには、紐状体７ａの第１端部が取り付けられている。紐状体７ａは、梁部材１ａの端部１１を通り、梁部材１ａに沿って延伸している。紐状体７ａの第２端部は紐状体調節部２に取り付けられている。紐状体７ａは、紐、ロープ、ワイヤ等からなる。
【００２５】
梁部材１ｂ側にも、梁部材１ａ側の構成と同様に、上腕部材４ｂ、下腕部材５ｂ、保持部材６ｂおよび紐状体７ｂが設けられている。すなわち、物干し装置１０は正面視して左右対称に構成されている。
【００２６】
後述のように、上下方向を向く軸の周りに操作部２７を第１方向に回転させると、紐状体調節部２が紐状体７ａ，７ｂを巻き取る。保持部材６ａは紐状体７ａにより上方向に引っ張られる。上腕部材４ａは、上腕部材４ａの端部４１を支点として、梁部材１ａの長手方向に平行な面内で方向Ｒ１に回転する。下腕部材５ａは、下腕部材５ａの端部５１を支点として、梁部材１ａの長手方向に平行な面内で方向Ｒ２に回転する。方向Ｒ１は上腕部材４ａが梁部材１ａに近づく方向であり、方向Ｒ２は方向Ｒ１と反対方向である。上腕部材４ｂ、下腕部材５ｂおよび保持部材６ｂについても同様である。このようにして、保持部材６ａ，６ｂに保持された物干し竿８１を上昇させることができる。
【００２７】
後述のように、操作部２７を第２方向（第１方向と反対の方向）に回転させると、紐状体調節部２が紐状体７ａ，７ｂを巻き戻す。弛んだ紐状体７ａが張るようになるまで、保持部材６ａは重力に引かれて下降する。上腕部材４ａおよび下腕部材５ａは、保持部材６ａが上昇する場合と反対方向に回転する。上腕部材４ｂ、下腕部材５ｂおよび保持部材６ｂについても同様である。このようにして、保持部材６ａ，６ｂに保持された物干し竿８１を下降させることができる。
【００２８】
図３は、非使用時の物干し装置１０を示す外観斜視図である。上腕部材４ａは梁部材１ａに当接するまで回転している。下腕部材５ａは上腕部材４ａに当接するまで回転している。すなわち、上腕部材４ａおよび下腕部材５ａは、平面視して、梁部材１ａに重なるように折り畳まれている。梁部材１ｂ、上腕部材４ｂおよび下腕部材５ｂについても同様である。保持部材６ａ，６ｂを最も高い位置まで上昇させることにより、物干し装置１０を非使用時の形状に変形させることができる。このように、物干し装置１０を使用しないとき、物干し装置１０をコンパクトな形状にして収納することができる。
【００２９】
図４は、紐状体調節部２付近を示す分解斜視図である。紐状体調節部２は、上カバー部材２１、下カバー部材２２、外側回転部材２３、内側回転部材２４、渦巻きばね２５、コイルばね２６および操作部２７を有する。コイルばね２６は本発明の第１ばね部材に相当する。
【００３０】
上カバー部材２１は略たらい形状を有し、その側面には切欠き部２１１が形成されている。略角筒状の梁部材１ａ，１ｂの内部および切欠き部２１１を通って紐状体調節部２の内部に紐状体７ａ，７ｂが引き込まれる。上カバー部材２１の内側には上カバー部材２１の底面の縁端に沿って歯（図示せず）が形成されている。上カバー部材２１は梁部材１ａと梁部材１ｂとの間に取付けられる。上カバー部材２１の開口は下方向を向いている。下カバー部材２２は、略円板状であり、その中心部に開口部２２１を有する。下カバー部材２２は、上カバー部材２１の開口に蓋をするように、上カバー部材２１に取付けられている。
【００３１】
上カバー部材２１と下カバー部材２２との間には略たらい形状の外側回転部材２３が配置されている。外側回転部材２３の端面には歯が形成され、外側回転部材２３の側面に溝部が形成されている。外側回転部材２３は、外側回転部材２３の歯が上カバー部材２１の歯にかみ合うように配置されている。外側回転部材２３の溝部には紐状体７ａ，７ｂの端部が固定されている。外側回転部材２３は、上下方向を向く中心軸の周りに回転自在となっている。
【００３２】
外側回転部材２３の内側には略たらい形状の内側回転部材２４が固定されている。内側回転部材２４は、内側回転部材２４の底面が外側回転部材２３の底面に当接するように配置されている。内側回転部材２４の内側には渦巻きばね２５が配置されている。渦巻きばね２５の第１端部は内側回転部材２４に固定され、渦巻きばね２５の第２端部は上カバー部材２１に固定されている。渦巻きばね２５は、紐状体７ａ，７ｂが巻き取られる方向に外側回転部材２３を付勢する。これにより、非使用時の物干し装置１０において、上腕部材４ａおよび下腕部材５ａが垂れ下がることを防止することができる。
【００３３】
外側回転部材２３と下カバー部材２２との間にはコイルばね２６が配置されている。コイルばね２６は外側回転部材２３を上カバー部材２１に押し当てている。これにより、上カバー部材２１の歯と外側回転部材２３の歯とがしっかりかみ合うため、外側回転部材２３の回転がロックされる。
【００３４】
外側回転部材２３の底面には操作部２７が延設されている。操作部２７は、コイルばね２６の巻回中心部を通り、下カバー部材２２の開口部２２１から突出している。
【００３５】
図５は、クランクハンドル８２を示す平面図である。クランクハンドル８２は操作部２７を操作するために用いられる。クランクハンドル８２は、鉤状の先端部８２１、柄８２２、および、先端部８２１と柄８２２とをつなぐ直線状の中央部８２３を有する。クランクハンドル８２は、柄８２２の軸が中央部８２３の軸に対してずれるように、柄８２２付近で曲がっている。この構成により、中央部８２３を軸として柄８２２を回転させることにより先端部８２１を回転させることができる。すなわち、クランクハンドル８２はオーニング用クランクハンドルと同様の形状および機能を有する。
【００３６】
まず、クランクハンドル８２の先端部８２１を操作部２７に引っかける。次に、クランクハンドル８２を引くと、上カバー部材２１の歯と外側回転部材２３の歯とが離れる。これにより、外側回転部材２３のロックが解除され、外側回転部材２３は回転自在となる。次に、クランクハンドル８２を引きながら、クランクハンドル８２の柄８２２を回転させると、操作部２７そして外側回転部材２３が回転する。外側回転部材２３が第１方向に回転する場合、紐状体７ａ，７ｂは外側回転部材２３の溝部へ巻き取られる。外側回転部材２３が第２方向（第１方向と反対の方向）に回転する場合、紐状体７ａ，７ｂは外側回転部材２３の溝部から巻き戻される。クランクハンドル８２を引くことをやめると、上述のように、上カバー部材２１の歯と外側回転部材２３の歯とがかみ合うため、外側回転部材２３は再びロックされる。
【００３７】
紐状体調節部２は、手動で動作するため、外側回転部材２３を回転させるためのモータ等を必要としない。また、操作部２７が外側回転部材２３と一体的に形成されているため、操作部２７に対する回転力を外側回転部材２３に伝達する伝達機構を必要としない。このため、簡易な構造で紐状体調節部２を実現することができる。
【００３８】
図６は、取付け部材３ａ付近を示す分解斜視図である。梁部材１ａは略角筒状であり、梁部材１ａの第１側面は上方向を向いている。梁部材１ａの第１側面には、梁部材１ａの長手方向に沿って溝部１２が形成されている。取付け部材３ａは梁側部材３１および天井側部材３２を有する。梁側部材３１は延出片３１１および２つの孔部３１２を有する。梁側部材３１の孔部３１２は、梁側部材３１の主面に形成され、梁側部材３１を貫通している。梁側部材３１の延出片３１１が梁部材１ａの溝部１２に嵌入することで、梁側部材３１は梁部材１ａの長手方向に移動自在に取り付けられる。この際、梁側部材３１の主面は梁部材１ａの長手方向に垂直となる。
【００３９】
天井側部材３２は、第１平板部３２１と、第１平板部３２１の両端から立設される第２平板部３２２とを有する。天井側部材３２は、天井側部材３２の第２平板部３２２で梁側部材３１の主面を挟むように形成および配置されている。天井側部材３２の第１平板部３２１は、物干し装置１０を設置する天井等に当接される。天井側部材３２の第２平板部３２２には２つの細長状の孔部３２３が形成されている。孔部３２３の一方は天井側部材３２の第１平板部３２１と平行な方向に延伸し、孔部３２３の他方は天井側部材３２の第１平板部３２１に対して斜め方向に延伸している。梁側部材３１の孔部３１２および天井側部材３２の孔部３２３をネジ３３が貫通することにより、梁側部材３１に天井側部材３２が取り付けられる。このようにして、天井側部材３２は、梁部材１ａの長手方向に垂直な面内で、梁側部材３１に対して約０°〜３０°の範囲で回転自在となる。取付け部材３ｂの構成は取付け部材３ａの構成と同様である。これにより、水平でない天井等にも物干し装置１０を確実に取り付けることができる。
【００４０】
図７は、梁部材１ａ、上腕部材４ａ、下腕部材５ａおよび保持部材６ａを示す分解斜視図である。梁部材１ａの端部１１付近には、紐状体７ａをガイドするためのガイドローラ１３が設けられている。梁部材１ａの端部１１および上腕部材４ａの端部４１には孔部が形成され、その孔部を支柱８３１が貫通することにより、梁部材１ａに上腕部材４ａが回転自在に取り付けられる。
【００４１】
上腕部材４ａの端部４２および下腕部材５ａの端部５１には孔部が形成され、その孔部を支柱８３２が貫通することにより、上腕部材４ａに下腕部材５ａが回転自在に取り付けられる。上腕部材４ａの端部４２および下腕部材５ａの端部５１は、上腕部材４ａに対して下腕部材５ａが１８０°以上回転しないように形成されている。
【００４２】
上腕部材４ａの端部４２および下腕部材５ａの端部５１から、コイルばね４３を収納するための中空部が形成されている。コイルばね４３は本発明の第２ばね部材に相当する。コイルばね４３の第１端部は巻回方向に垂直な方向に延伸し、コイルばね４３の第２端部はコイルばね４３の第１端部と同一方向に延伸している。コイルばね４３は、その第１端部が上腕部材４ａと平行になり、その第２端部が下腕部材５ａと平行になるように、中空部に固定されている。これにより、コイルばね４３は、上腕部材４ａおよび下腕部材５ａが折り畳まれるように上腕部材４ａおよび下腕部材５ａを付勢する。これにより、図３に示した非使用時の物干し装置１０において、上腕部材４ａおよび下腕部材５ａが垂れ下がることを防止することができる。
【００４３】
保持部材６ａは、短手方向の端部から延出した延出片６２を有する。延出片６２および下腕部材５ａの端部５２には孔部が形成され、その孔部を支柱８３３が貫通することにより、下腕部材５ａに保持部材６ａが回転自在に取り付けられる。延出片６２には紐状体７ａの端部を固定するための孔部が形成されている。
梁部材１ｂ、上腕部材４ｂ、下腕部材５ｂおよび保持部材６ｂの構成は、梁部材１ａ、上腕部材４ａ、下腕部材５ａおよび保持部材６ａの構成と同様である。
【００４４】
本実施形態では、上述のように、クランクハンドル８２で操作部２７を回転させることにより、物干し竿８１を所望の位置まで昇降させることができる。このため、作業しやすい位置まで物干し竿８１を降ろして洗濯物を干した後、洗濯物が乾きやすい位置まで物干し竿８１を上げることができる。また、物干し装置１０を使用しないとき、物干し竿８１を最も高い位置まで上げることにより、物干し装置１０をコンパクトな形状にして収納することができる。また、保持部材６ａ，６ｂが上腕部材４ａ，４ｂおよび下腕部材５ａ，５ｂにより梁部材１ａ，１ｂから吊り下げられているため、風が吹いた際に物干し竿８１が揺れることを防止することができる。
【００４５】
さらに、パンダグラフ機構により保持部材６ａ，６ｂを梁部材１ａ，１ｂから吊り下げる場合に比べて、簡易な構造で軽量な物干し装置１０を実現することができる。また、上腕部材４ａ，４ｂおよび下腕部材５ａ，５ｂが梁部材１ａの長手方向に平行な面内で回転自在であるため、物干し竿８１を昇降させても物干し装置１０の姿勢は変化しない。
【００４６】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００４７】
１ａ，１ｂ…梁部材
２…紐状体調節部
３ａ，３ｂ…取付け部材
４ａ，４ｂ…上腕部材
５ａ，５ｂ…下腕部材
６ａ，６ｂ…保持部材
７ａ，７ｂ…紐状体
１０…物干し装置
１３…ガイドローラ
２１…上カバー部材
２２…下カバー部材
２３…外側回転部材
２４…内側回転部材
２５…渦巻きばね
２６，４３…コイルばね
２７…操作部
３１…梁側部材
３２…天井側部材
８１…物干し竿
８２…クランクハンドル
【図１】
2015096090.tif 000003
【図２】
2015096090.tif 000004
【図３】
2015096090.tif 000005
【図４】
2015096090.tif 000006
【図５】
2015096090.tif 000007
【図６】
2015096090.tif 000008
【図７】
2015096090.tif 000009